(57)【要約】      （修正有）【課題】屋根の谷部に施工する谷部化粧板金内に浸入した雨水をスムーズに谷樋へ流れるようにする。【解決手段】二つの勾配屋根面が交差して構成される屋根の谷部２０へ施工された屋根材２５の切断面２６を覆う谷部化粧板金１であって、谷部への取り付け時において、屋根材２５より下部に位置する下面が谷樋と非平行であり、谷芯側に向かって下り勾配とすることで水が屋根材裏まで回りこまず、シーリング材等を用いなくても高い防水性能を発揮できる。また、固定面を野地面と平行に設けることで谷部２０に対する固定を容易にするとともに、谷部化粧板金１の下面及び／又は化粧面１１に水抜き孔を設けて、雨水の谷樋への流下を行う。【選択図】図１３
2012102577.tif 000002
【特許請求の範囲】
【請求項１】
二つの勾配屋根面が交差して構成される屋根の谷部へ施工された屋根材の切断面を覆う谷部化粧板金であって、谷部への取り付け時において、屋根材より下部に位置する下面が谷樋と非平行であり、谷芯側に向かって下り勾配になっていることを特徴とする谷部化粧板金。
【請求項２】
前記谷部化粧板金の固定面は、前記下面と同一面になく、野地面と平行に設けられている請求項１記載の谷部化粧板金。
【請求項３】
前記谷部化粧板金の下面及び／又は化粧面に、水抜き孔が設けられている請求項１又は２記載の谷部化粧板金。
【請求項４】
屋根の谷部に施工された谷樋と、請求項１ないし３に記載の谷部化粧板金と、前記谷部化粧板金に切断面が覆われた屋根材とからなる谷部化粧板金を使用した屋根の谷部構造。
【発明の詳細な説明】
【技術分野】
【０００１】
本発明は、屋根の谷部に施工された屋根材の切断面を覆う化粧板金であり、さらに詳しくは、意匠性と防水性能を兼ね備えた谷部化粧板金、及びそれを使用した屋根構造に関するものである。
【背景技術】
【０００２】
屋根に谷を有する建物の谷部を施工する場合において、製造される屋根材の多くが方形状であることに対し、谷部は軒先や棟に対し斜めに構成されていることから、谷部を加工なしで納められる場合はほぼ皆無である。そのため、あらかじめ谷部の形状に合わせたいわゆる谷瓦などの専用の役物も存在するが、形状がやや複雑であるため、量産が難しい点、使用数量が少ない点、一般的な屋根材とは別扱いが必要な点などの課題により、必然的にコストが上がり、採用される例は多くはなかった。
【０００３】
したがって、谷芯に臨む屋根材は、ほとんどの場合で一部を切断されたものが使用されることとなり、切断面が露出した状態になることが多かった。近年では、屋根の仕上がりの完全さを求めることが多いことから、切断面に屋根材と同色のペンキ等で切断面を塗布する方法や、切断面を包むような部材で屋根の意匠性を向上させるような対策が多く出されている。
【０００４】
屋根材の切断面を包むような部材の例として、図１５に示すように、特許文献１記載の発明がある。この発明によると、屋根材上を流れる水が、カバー体５と谷板５０との隙間５１から谷板上の谷部中央側に流れるように、カバー体が谷板上面から上方に浮いた状態に支持されており、また、カバー体の端面覆い部５２の下端と谷板上面との間に、水の通路となる隙間が形成されている構成としている。
【０００５】
特許文献１発明により、谷部の意匠性を向上させるとともに、屋根材上を流れる水がカバー体で堰き止められることがなくなる。したがって、谷板の谷部中央側にスムーズに流下させることができるので、漏水を防止することができる。
【０００６】
また、図１６に示すように、特許文献２記載の発明によると、屋根材を包むように設けられる底面部７１、瓦端被覆部７２、上面部７３、軒先面部、及び、前記底面部に設けられた孔部７５を有した一対の瓦収容部７０と、谷被覆部７７、該谷被覆部の長手方向の両側辺のそれぞれから、前記断面Ｖ字形の内側に向けて延設された二つの第一側面部７８ａ、及び、第二側面部７８ｂを有した谷樋部７６とで構成された屋根谷部仕上げ具７０がある。
【０００７】
特許文献２発明により、谷部に沿って切断された瓦の端部を瓦収納部で被覆され、瓦の側面も軒先面部により被覆されるため、熟練工が谷部の切断面をきれいに揃えなくても容易かつ短時間の作業で、外観良く谷部の仕上げを行うことができるという効果を発揮する。
【先行技術文献】
【特許文献】
【０００８】
【特許文献１】特開２００５−００９２５４
【特許文献２】特開２００８−０５７１７３
【発明の概要】
【発明が解決しようとする課題】
【０００９】
しかしながら、上記の発明では、なお改良の余地があった。つまり、屋根材の下にくる谷の化粧部材は、屋根材の下にくる下部が野地板に対して平行となっているので、屋根材の表面を流れてきた水が屋根材の切断面を通って屋根材の下まで流下したとき、化粧部材の下部は屋根材と平行程度の勾配しかないため、その下部を遡って一般の屋根面（屋根の平部）に達しやすい。特に、屋根勾配の緩い建物では、谷を構成する傾斜面も緩くなるため、水がスムーズに谷樋に達しにくくなり、一般の屋根面側に遡りやすくなる。
【００１０】
また、特許文献１発明では、カバー体の固定を吊子で行っているため、吊子が別に必要であったり、施工のばらつきが発生したり、施工が煩わしかったりする等の問題があった。さらに、特許文献２では、上述した様態を考慮して、化粧部材の下部の棟側端部付近と屋根材との間をシーリング材７９で埋める構成を採用しているが、シーリング材７９の施工位置や施工量も作業者によってばらつきがあったり、シーリング材の経年劣化による亀裂が発生したり、シーリング材７９の施工そのものを失念してしまったりする恐れがあるため、完全な防水対策とはいえなかった。
【００１１】
以上のことをかんがみ、本発明では、谷部に施工する谷部化粧板金の形状を鋭意検討した結果、谷部化粧板金の下面に傾斜を設けて谷部化粧板金内に浸入した雨水をスムーズに谷樋へ流れるようにすれば良いことを見出した。
【課題を解決するための手段】
【００１２】
上記の課題を解決するために、本発明では、二つの勾配屋根面が交差して構成される屋根の谷部へ施工された屋根材の切断面を覆う谷部化粧板金であって、谷部への取り付け時において、屋根材より下部に位置する下面が谷樋と非平行であり、谷芯側に向かって下り勾配になっている構成を採用する。
【００１３】
上記の構成を採用することにより、屋根材に降りかかった雨水が流下し谷部化粧板金に差しかかったとき、谷部に臨む屋根材の表面、前記屋根材の切断面または化粧面、（前記屋根材の裏面端部）を経て谷部化粧板金の下面に達する。前記下面には、谷芯に向かって下り勾配が設けられているため、雨水が下面を遡って屋根の平部に達しようとする勢いを抑制させることができる。
【００１４】
また、上記の発明をより効果的に発揮するために、谷部化粧板金の固定面は、前記下面と同一面になく、野地面と平行に設けられている構成を採用することで、野地板、又は谷樋固定用の捨て桟木に対し固定部が平行になるため、野地板や捨て桟木などの下地材に対し固定しやすくなる。また、前記谷部化粧板金の下面及び／又は化粧面に、水抜き孔を設けることで、屋根材の切断面又は化粧面を流下してきた雨水が下面に達したときに、すくなくともその一部が半ば直接水抜き孔を経由してスムーズに谷樋まで流下させられる。谷部は、それを構成する屋根面の雨水が集中する箇所でもあるため、集中し流下してきた雨水を随時谷樋へ誘導させられるため、防水性能の向上が図られる。
【００１５】
そして、屋根の谷部に施工された谷樋と、上述したような谷部化粧板金と、前記谷部化粧板金に切断面が覆われた屋根材とからなる谷部化粧板金を使用した屋根の谷部構造を提供することにより、屋根に谷部を有する建物であっても、雨水等を屋内に浸入させない屋根構造とすることができる。
【発明の効果】
【００１６】
本発明によれば、屋根の谷部に臨む屋根材の切断面を谷部化粧板金で覆うことで、屋根材の切断面の切断精度が高くなくても、また、切断面に対しペンキ等で補修をしなくても意匠性を向上させることができるだけでなく、谷部に集中した雨水をスムーズに谷樋まで流下させられるとともに、屋根材の下部より屋根の内部に雨水が浸入することを大幅に抑制することができるという効果を発揮する。
【図面の簡単な説明】
【００１７】
【図１】本発明の谷部化粧板金の平面図である。
【図２】本発明の谷部化粧板金の正面図である。
【図３】本発明の谷部化粧板金の背面図である。
【図４】図１中Ａ−Ａの断面図である。
【図５】本発明の谷部化粧板金の上方斜視図である。
【図６】本発明の谷部化粧板金の下方斜視図である。
【図７】本発明の谷部化粧板金における右側面図の他の実施例である。
【図８】本発明の谷部化粧板金を使用した屋根の谷部構造の斜視図である。
【図９】本発明の谷部構造に使用される谷樋の断面図である。
【図１０】本発明の谷部化粧板金を使用した谷部の施工手順を示した図である。
【図１１】本発明の谷部化粧板金を使用した谷部の施工手順を示した図である。
【図１２】本発明の他の実施江例谷部化粧板金を使用した谷部の施工手順を示した図である。
【図１３】本発明の他の実施例で谷部化粧板金を使用した谷部の施工手順を示した図である。
【図１４】本発明の谷部化粧板金を使用した他の実施例である。
【図１５】従来の技術を示す。
【図１６】従来の技術を示す。
【発明を実施するための形態】
【００１８】
以下、本発明における実施例について詳細に述べる。
【００１９】
まず、本発明の谷部化粧板金１の基本構成は、図１ないし図６に示すように断面視で屋根材２５を上方より覆う上面１０、前記上面の谷芯側の端部より屋根材２５の切断面２６と対向するように、屋根材の裏面よりも下方まで垂下された化粧面１１、前記化粧面の下端より屋根材の裏面へ向かって登り勾配を有しながら設けられた下面１２、前記下面とは非同一面であり野地板又は屋根材２５と略平行な面を有する固定面１４とからなっている。また、前記化粧面と前記下面とで構成される屈曲部１５は、収納空間Ｓ側が鋭角となるように構成され、前記屈曲部には屋根材２５の表面を流下してきた雨水をスムーズに谷樋へ排水することが可能な水抜き孔１６を有している。なお、前記下面と前記固定面とは連続で構成されていても良いし、接続面１３を介して接続されていてもよく、屋根の谷部の仕様に応じて適宜最適な手段が採用される。なお、前記谷部化粧板金の板厚は、例として０．３ｍｍ〜０．５ｍｍ、特に０．３５ｍｍ〜０．４ｍｍ程度の汎用的な厚さを好適とする。
【００２０】
本発明の谷部化粧板金１は、前記上面１０より前記固定面１４まで一体となるよう折り曲げ形成されており、谷部への施工状態において断面略「７」字形又は逆「７」字形を横たわらせたような形状となっている。上面１０、化粧面１１、下面１２により構成される収納空間Ｓは、屋根材２５の切断面２６を包み込めるような形状となっている。なお、谷部化粧板金の材質は、屋根面に直接露出するものであるから、ガルバリウム鋼板などの高耐久なものが選定される。
【００２１】
谷部化粧板金１の上面１０は、化粧面１１に対し谷芯２１とは反対側へ延びており、屋根材２５と略平行に設けられている。また、上面の屋根材側には、板金の端部を谷芯側かつ裏側へ略Ｕ字を構成するように折り返しが設けられている。上面１０の長さは、現場で加工された谷部を臨む屋根材の基準切断位置（谷部のどの範囲まで屋根材を施工するかを示した位置）から、切断精度にばらつきのある切断面をすべて覆うことができる程度までが望ましい。
【００２２】
谷部化粧板金１の化粧面１１は、上面１０の折り返しとは反対側の端部より略直角となるように谷樋３に向かって垂下されている。前記化粧面１１は、谷部２０に臨む屋根材２５の切断面２６と対向するようになっており、この化粧面１１によって軒側視点から切断面２６を隠し、意匠性を向上させている。化粧面１１の高さは、概ね谷部２０に臨む屋根材２５の厚み（屋根材が２枚以上重なっている場合は、その合計の厚み）よりも大きくなっており、最低でも前記屋根材２５の厚みに加え上面１０と屋根材２５との隙間及び屋根材２５と下面１２との隙間（下面の直角方向に対する勾配分）以上を有している。したがって、屋根材が陶器瓦などの厚物の場合は、その厚さにしたがって化粧面の長さが上下方向に長くなっている様態となる。
【００２３】
谷部化粧板金１の下面１２は、前記化粧面１１の下端よりやや鋭角（屋根材側に向かって登り勾配）となりながら屋根材２５の下方に位置するように延びている。下面１２は、屋根材２５に降りかかった水が谷部化粧板金１内に流下した際に、その全量が谷樋２０へ確実に流下させられるよう上面１０よりも長く形成されている。下面１２には、野地板２２に対し谷芯２１側に向かって下り勾配が既に設けられているが、さらに下面１２を水が遡って屋根の平部まで流れにくくなるよう、図７ａのように下面に対し上方へ突出した突起１７を長手方向に１条もしくは複数条、間欠的又は連続的に設けて一種の水返し形状としてもよい。また、下面１２の勾配は、屈曲部１５から下面１２の棟側（本発明において棟側とは、化粧面に対して谷芯とは反対側の方向を指すこととする）に向かって全範囲が同一勾配となっていなくても良く、例えば図７ｂに示すように段階的に勾配を変えたり、図７ｃに示すように化粧面下端より上方に向かって湾曲したりしていてもよい。また、化粧面と直角に設けた下面の途中より勾配を設けたり壁面１８を設けたりする構成としても良い（例えば図７ｄ。なお、この際は下面と固定面が平行になっている状態もあり得る）。なお、本発明の谷部化粧板金は、施工される屋根材の厚みや、屋根材の谷樋への被り範囲等に応じて、上面と下面との間隔や下面の長さを適宜変更することが可能である。
【００２４】
前記化粧面１１と前記下面１２とで構成される屈曲部１５には、図２、図４、図５などに示すように水抜き孔１６が設けられている。水抜き孔１６は、丸穴や角穴が化粧面１１及び／又は下面１２の特に屈曲部側に所定の幅及び長さ（高さ）を有して長手方向に連続して設けられている。水抜き孔１６の大きさは、ある程度の水量があっても滞りなく流れ落ちる程度であれば良いが、その一例として、幅（長手方向側）は３ｍｍ〜１０ｍｍ、特に５ｍｍ程度を好適とし、長さ（短手方向側）は６ｍｍ〜２５ｍｍ、特に１０ｍｍ〜２０ｍｍ程度がよく、そのうち化粧面１１側には３ｍｍ〜７ｍｍ程度、下面側には５ｍｍ〜１３ｍｍ程度、屈曲部を跨って設けられていることを好適とする。また、前記水抜き孔１６は、谷部化粧板金１の長手方向に連続して設けられるほか、屈曲部１５が長手方向に長く切り取られている様態としても良い。
【００２５】
谷部化粧板金１の固定部１４は、前記下面１２とは同一面になく、概ね野地板２２と略平行となるように設けられている。例として、固定部１４を野地板２２に固定する場合は、前記下面１２の棟側端部より接続面１３を介して固定面１４を前記棟側端部よりも下方となるようにして設ける。他の例としては、特に厚物の屋根材などに見られ、谷樋を固定するための捨桟２４に固定部１４を固定する場合は、前記接続面１３を不要として前記下面１２の棟側端部より連続して形成してもよい｛例として図１２の（ｃ）｝。谷部化粧板金１を谷部２０に固定する場合は、いずれの例でも前記固定部１４に上から釘打ち等を行い、釘打ち部に雨水等の浸入を防止させるためのコーキング処理等を施して固定する。
【００２６】
上記までで本発明の谷部化粧板金１の基本構成を説明したが、その他の構成について以下に詳述する。
【００２７】
本発明の谷部化粧板金１は、谷の全長さに対して施工できるが、軒端部Ｅ付近は後に施工される屋根材２５との干渉の影響もあるため通常通りの形状では納められないことがある。また、谷部２０と軒端部Ｅとの取り合いは、そのままでは高い意匠性を維持することが難しい。そのため、図８ａに示すように谷部２０に臨む屋根材２５の軒端部Ｅ（屋根材の頭見付）に対し、谷部化粧板金１の上面１０を残して適宜切断するとともに、上面１０を軒端部Ｅに合わせて垂下するように折り曲げて軒側化粧面１９を形成し、屋根材２５のうち切断面２６と軒端部Ｅの見付け部分とが交差する部位を覆うようにする。これにより図８ｂ、図８ｃに示すように前記した交差する部位も違和感なく仕上げることができ、高い意匠性が確保される。なお、図８ｂでは金属瓦や化粧スレートなどの薄物の屋根材での納まりを、図８ｃでは、セメント瓦や粘土瓦などの厚物の屋根材での仕上がりの様子を示したものである。
【００２８】
また、本発明では、谷部化粧板金１（特に上面１０及び化粧面１１）の材質を屋根材と同質にする構成としても良い。ここでいう同質とは、材料的に同じ材質にすることはもちろんのこと、屋根材の表面の状態（ザラメ調の模様や石粒の吹き付け状態等）を同じにしたり、色を同色又は同系色に揃えたりすることを含んでいる。この構成を採用することにより、屋根材２５と谷部化粧板金１が同一の外観となり、あたかも屋根材２５が谷部２０に臨む切断面２６まで連続しているかのような意匠性を提供できる。
【００２９】
本発明の谷部化粧板金１を用いた屋根の谷部構造では、谷部化粧板金１以外にも谷部２０そのものや谷芯２１に施工される谷樋３、谷部２０に臨む面を切断した屋根材２５、これらに付随するルーフィングや捨桟などを含んで構成される。谷樋３は、図９ａに示すように、一般的に谷部に施工される幅広で谷芯方向に長尺のものであり（図では谷樋の断面のみを示している）、谷芯２１を中心として谷部を構成している二つの屋根面の角度に概ね合った傾斜面３０が設けられている。さらに、傾斜面の端部より上方かつ谷芯側に向かって延びる折り返しが設けられている。この場合、谷樋３の固定は、前記折り返しに吊子３３を介して野地板２２に固定されている。厚物の屋根材などの場合では、図９ｂに示すように谷樋３を谷芯と平行に施工した捨桟２４に固定することが多いため、谷樋３の傾斜面３０の端部より略直角に上方へ延びる立ち上げ面３１と、前記立ち上げ面の上端より谷芯とは反対側に略直角方向に延びる谷樋固定面３２が設けられている構成となっており、前記谷樋固定面３２から捨桟２４に向かって釘打ち等で固定している（参考として図１２ｂ）。ここで、本発明中に出てくる屋根材２５は、金属瓦、セメント瓦、陶器瓦など一般的な建物に使用されるものであり、ある程度の厚みがある屋根材であれば、切断面の露出量が多くなるため、本発明の谷部化粧板金１による意匠性向上の効果が大きい。
【００３０】
［実施例１］
以下、本発明の谷部化粧板金１の施工について詳述する。本実施例では、厚みの薄い屋根材の例として、金属瓦を採用したものを例示する。
【００３１】
上棟後、野地板２２を施工し構成された屋根２の谷部２０に、ルーフィング２３を施工する（図１０のａ）。続いて、谷芯２１を中心として谷樋３を施工する。このとき、谷樋３の両端が谷芯２１側に折り返されているだけの場合は、吊子３３を使用して所定箇所で野地板２２に固定する。加えて、谷部化粧板金１の施工位置の目安となるよう谷樋３の表面に墨打ちを施しておく（図１０のｂ）。谷樋３の施工に続いて、本発明の谷部化粧板金１を野地板２２に施工する。固定面１４を谷樋２０よりも谷芯２１から離れた方向になるよう位置決めをして、固定面１４の上部より野地板２２へ釘打ち固定する（図１０のｃ）。このとき、釘打ち箇所には防水性を確保する意味でコーキング材等を施工しておいてもよい。
【００３２】
谷部化粧板金１まで施工できたら、軒側より金属瓦２５を施工していく。谷部２０にかかる金属瓦は、谷芯より所定距離だけ離した位置を基準にして、その基準に合うように切断していく。このとき、谷部２０にかかる金属瓦２５の切断面２６は、谷部化粧板金１の収納空間Ｓに覆われて軒側より外観では確認されないため、切断面２６の精度を問う必要がなくなり、いくらか切断面２６が段状になっていたり波打っていたりしても良い。谷部２０に沿って切断した金属瓦２５は、切断面２６を谷部化粧板金１の収納空間Ｓに収納できるよう屋根の平部側から谷部側に向かってスライドさせるようにして納める（図１１のｄ）。
【００３３】
これらを棟際まで繰り返して谷部２０に臨む金属瓦２５を所定箇所ですべて切断し、切断面２６を収納空間Ｓに収納するとともに、谷部２０に臨む金属瓦２５を野地板２２に固定して施工が完了となる（図１１のｅ）。なお、上述したような施工では、軒端部Ｅと谷部２０とが交差する部位では切断した金属瓦２５が露出したままとなって、軒側視点での外観で切断面が目立ってしまう。これを解消するために、谷部化粧板金１の軒端部Ｅは、図８に示したように一部を切断加工して、軒端部Ｅの金属瓦２５の一部を被覆するかのように軒側化粧面１９を折り曲げ形成して納める。この作業は、金属瓦２５を施工する前、施工と同時、施工後のいずれのタイミングで行っていても良い。
【００３４】
これらの施工により、谷部２０は金属瓦２５の切断面２６が化粧面１１（上面１０）により隠されるので、谷部２０の意匠性がよい納まり構造を提供できる。この構造において、金属瓦２５に降りかかった水は、金属瓦２５の表面を流下し、金属瓦２５と上面１０との隙間より収納空間Ｓに浸入し、化粧面１１の内側（金属瓦側）又は金属瓦２５の切断面２６を経由して下面１２に達する。下面１２は、谷芯２１に向かって谷部２０の勾配よりも急な勾配となっているため、下面１２を遡って屋根の平部側には到達せず、屈曲部１５に設けた水抜き孔１６より直ちに谷樋３へ排出され、谷樋３を経由して軒樋（図示なし）まで流下する。なお、谷部化粧板金１の下面１２は、金属瓦２５の裏面とは非平行になっており一定の隙間があるため、金属瓦裏面の最も谷芯側より毛細管現象等で水が上昇してくることはない。なおまた、金属瓦２５の表面に降りかかった水が谷部化粧板金１を経由することから、直接谷樋３に流れる場合と比べ、金属瓦２５から谷樋３へ落ちる水の勢いが抑えられるので、例えば銅板製の谷樋３などの場合、水の衝撃による表面被膜の腐食を起こしにくいので、谷樋３０の劣化を抑制することも可能である。
【００３５】
［実施例２］
本実施例では、比較的厚みのある屋根材の例として、陶器瓦を採用したものの施工について詳述する。
【００３６】
ルーフィングの施工後、続けて平部には瓦桟（図示なし）を、谷部２０には谷芯２１と平行で谷樋３の幅と対応した間隔で捨桟２４を、それぞれルーフィング２３上に施工する（図１２のａ）。本実施例では、上述した実施例と比べ、陶器瓦の施工方法の違いによる瓦桟及び捨桟２４の施工を必要としている。前記捨桟２４の間に谷樋３をはめ込み、谷樋固定部３２を捨桟２４に釘打ち固定する。本実施例での谷樋３は、前述及び図９で図示したように幅方向両端に傾斜面３０から鉛直上方に設けられた立ち上げ面３１及び谷樋固定面３２が設けられており、捨桟２４を包むように一体形成されている（図１２のｂ）。
【００３７】
谷樋３の固定が完了すれば、続けて本発明の谷部化粧板金１を谷部２０に施工する。谷部化粧板金１の固定面１４を捨桟２４の位置に合わせ、谷樋固定面３２の上方より釘等で捨桟２４に打ち込み固定する（図１２のｃ）。このとき、谷部化粧板金１は捨桟２４へ固定せずに、谷樋固定面３２が屋根の平部にくるよう形状を変更して、屋根の平部より野地板２２に釘等で打ち込み固定をしても良い。谷部化粧板金１が施工できたら、化粧面１１の位置に合わせて谷部２０に臨む陶器瓦２５を切断し、収納空間Ｓに収納するようにスライドさせて固定する（図１３のｄ）。
【００３８】
これらを棟際まで繰り返して、谷部２０に臨む陶器瓦２５を所定箇所ですべて切断し、切断面２６を収納空間Ｓに収納するとともに谷部２０に臨む陶器瓦２５を瓦桟に固定して施工が完了となる（図１３のｅ）。
【００３９】
この構成により、谷芯２１に沿って切断した陶器瓦２５の切断面２６が露出し、陶器瓦表面との色差から目立ってしまう状態や、切断面２６を陶器瓦２５の表面の色と遜色ないようにするためペンキを塗布する必要があったという問題点を解消することができる。また、切断面２６の切断精度が高くなくても、谷部化粧板金１の上面１０又は化粧面１１により覆われるため、施工性の向上が図られるとともに、谷部２０を有する屋根の意匠性が向上するという効果を発揮する。さらには、陶器瓦２５の場合に発生しやすい、谷部に施工される小片（ここでは、谷部に施工され、陶器瓦の端部など切断状況により発生する小さな陶器瓦）を、暴風等で飛散しないよう上方から「抑え」としての効果も発揮する。
【００４０】
上記の実施例以外にも、本発明の谷部化粧板金は、新築される建物の屋根に限らず、図１４に示すようなスレート瓦や金属瓦などの薄物の屋根材が施工され古くなった既存屋根Ｂに対し、それらの屋根材の上から新たに屋根材２５を施工する建物の屋根に対しても施工が可能である（いわゆるカバー工法に対しても施工が可能である）。
【００４１】
なお、本発明の谷部化粧板金１及びそれを使用した屋根構造について具体的な説明をしたが、本発明は上記の好例に限定されるものではなく、その根本的技術思想を逸脱しない範囲において適宜変更することができる。例えば、谷部化粧板金の表層をセラミックスコーティングで被覆したり、材質を金属ではなく高耐久の樹脂材に変更したり、薄く高強度のものであれば陶磁器製にしたりしてもよい。また、谷部化粧板金は必ずしも一体形成となっていなくてもよく、例として屈曲部で分断されたものをリベット留め等で一体としたものでもよいし、固定部を有する側を凸構造、上面を有する側を凹構造とし、前記凹凸構造をはめ込んで一体とできる構成としても良い。さらに、図１５の従来技術を応用し、同じ谷部化粧板金１でも紫外線や風塵等の屋外環境に影響を受けやすい上面１０及び化粧面１１を別部材にしてやや形状を変更した下面１２と嵌合できる構造にすることにより、劣化の激しく外観に影響を与える部分のみ取り替え可能にできるため、メンテナンスが行いやすくなる。この構造により、上面と屋根材との空間に枝葉やゴミが詰まり見栄えが悪くなった場合でも、その対処が容易になるので良い。
【産業上の利用可能性】
【００４２】
本発明は、屋根の谷部に施工される屋根材を被覆する部材の一つとして、さらには屋根材の端部を処理する屋根の補助材として幅広く活用できる。
【符号の説明】
【００４３】
１    谷部化粧板金
１０    上面
１１    化粧面
１２    下面
１３    接続面
１４    固定面
１５    屈曲部
１６    水抜き孔
１７    突起
１８    壁面
１９    軒側化粧面
２    屋根
２０    谷部
２１    谷芯
２２    野地板
２３    ルーフィング
２４    捨桟
２５    屋根材
２６    切断面
３    谷樋
３０    傾斜面
３１    立ち上げ面
３２    谷樋固定部
３３    吊子
５    カバー体
５０    谷板
５１    隙間
７    屋根谷部仕上げ具
７０    瓦収容部
７１    底面部
７２    瓦端被覆部
７３    上面
７５    孔部
７６    谷樋部
７７    谷被覆部
７８ａ    第一被覆部
７８ｂ    第二被覆部
７９    シーリング材
Ｓ    収納空間
Ｂ    既存屋根
Ｅ    軒端部
【図１】
2012102577.tif 000003
【図２】
2012102577.tif 000004
【図３】
2012102577.tif 000005
【図４】
2012102577.tif 000006
【図５】
2012102577.tif 000007
【図６】
2012102577.tif 000008
【図７】
2012102577.tif 000009
【図８】
2012102577.tif 000010
【図９】
2012102577.tif 000011
【図１０】
2012102577.tif 000012
【図１１】
2012102577.tif 000013
【図１２】
2012102577.tif 000014
【図１３】
2012102577.tif 000015
【図１４】
2012102577.tif 000016
【図１５】
2012102577.tif 000017
【図１６】
2012102577.tif 000018